(57)【要約】      （修正有）【課題】アンテナ装置取付工程を簡素化し、自動化を可能にして、組立効率を向上させることができるアンテナモジュール組立自動化構造を提供する。【解決手段】アンテナモジュール組立自動化構造は、基板構成部品１０とアンテナ構成部品２０とを含み、基板構成部品１０には基板１１、ハウジング１２と複数の第一電気接続部品１４を含み、ハウジング１２は基板１１上に設置され、その頂面には電気接続スロット１２１が凹設され、第一電気接続部品１４は電気接続スロット１２１上を突伸する。アンテナ構成部品２０は、個々に下向きに基板上に当接可能で、信号接続部と複数の第二電気接続部品を含み、第二電気接続部品は信号接続部の底面に設置され、上記第一電気接続部品と互いに当接かつ電気接続する。第二電気接続部品を下向きに当接させるだけで第一電気接続部品と互いに電気接続が可能になるため、組立が非常に簡単で、組立の自動化が可能であり、これにより組立効率の向上を可能とする。【選択図】図１
0003218192.tif 000002
【実用新案登録請求の範囲】
【請求項１】
アンテナモジュール組立自動化構造であって、
基板と、該基板上に設置され、頂面に電気接続スロットが凹設され、該電気接続スロットが上方開口部を有するハウジングと、該ハウジングの該電気接続スロット内に互いに間隔をおいて設置され、それぞれの相対する両端のうち、一端は前記基板と互いに連接し、他端は自由端であって前記電気接続スロットの頂面より上向きに突伸する、複数の第一電気接続部品と、を含む、基板構成部品と、
本体部と、該本体部と互いに連接する信号接続部と、該信号接続部の底面に互いに間隔をおいて設置され、また個々に前記ハウジングの前記電気接続スロットの前記上方開口部を下向きに貫通可能で、かつ下向きに前記第一電気接続部品と当接するとともに、該第一電気接続部品と電気接続させる、複数の第二電気接続部品と、を含み、個々に下向きに前記基板上に当接可能な、アンテナ構成部品と、
該アンテナ構成部品を選択的に該基板上に固定させる、固定組立部品と、を含む、
アンテナモジュール組立自動化構造。
【請求項２】
前記第一電気接続部品が配列され二つの第一電気接続列を形成し、該二つの第一電気接続配列が互いに平行に、かつ間隔をおいて配列され、かつ各該第一電気接続配列内にある第一電気接続部品もまた互いに平行、かつ間隔をおいて配列され、さらに該二つの第一電気接続配列の間隔をおいた配列の方向と、各該第一電気接続配列内の前記第一電気接続部品の間隔をおいた配列方向は互いに垂直である、請求項１に記載のアンテナモジュール組立自動化構造。
【請求項３】
前記基板構成部品の前記ハウジング上にさらに二つのスルーホールグループを形成し、該スルーホールグループは互いに平行かつ間隔をおいて該ハウジングの前記電気接続スロット内に設置され、各該スルーホールグループには複数のスルーホールを含み、該スルーホールは互いに平行かつ間隔をおいて設置され、前記二つの第一電気接続配列はそれぞれ該二つのスルーホールグループに対応しており、また各該第一電気接続配列の前記第一電気接続部品はそれぞれ互いに対応する前記スルーホール内に収容されている、請求項２に記載のアンテナモジュール組立自動化構造。
【請求項４】
前記固定組立部品には二つの固定ねじを含み、該固定ねじはそれぞれ前記アンテナ構成部品の相対する両側から該アンテナ構成部品を貫通するとともに下向きに前記基板上まで突伸し、該アンテナ構成部品を選択的に該基板上に固定させる、請求項１から３のいずれか一項に記載のアンテナモジュール組立自動化構造。
【請求項５】
記本体部の一側面に突伸し、また信号接続部が底面に設置されている、連接部結合フレームと、それぞれ該連接部結合フレームの相対する両側に設置され、また前記二つの固定ねじがそれぞれ下向きに前記基板上まで貫通している、二つのねじ固定部と、を含む、請求項４に記載のアンテナモジュール組立自動化構造。
【請求項６】
前記基板構成部品の前記ハウジングの頂面に設置されている、一つ以上の第一ポカヨケ装置と、前記アンテナ構成部品の前記本体部の底面に設置され、またその位置および数量が該一つ以上の第一ポカヨケ装置の位置および数量と互いに対応し、かつ個々に下向きに該一つ以上の第一ポカヨケ装置と互いに結合可能な第二ポカヨケ装置と、を含む、請求項１から３のいずれか一項に記載のアンテナモジュール組立自動化構造。
【請求項７】
前記アンテナ構成部品がさらに位置決めねじを含み、該位置決めねじが前記本体部の頂面から下向きに該本体部の底面まで貫通している、請求項１から３のいずれか一項に記載のアンテナモジュール組立自動化構造。
【考案の詳細な説明】
【技術分野】
【０００１】
本考案は、電子装置上に取り付けるアンテナモジュールのポート構造に関する。
【背景技術】
【０００２】
一般的に、電子装置上に取り付けるアンテナ装置は、プリント基板（ＰＣＢ、  Ｐｒｉｎｔｅｄ  Ｃｉｒｃｕｉｔ  Ｂｏａｒｄ）上のＰＣＩコネクタ（ＰＣＩ  Ｃｏｎｎｅｃｔｏｒ）と互いに連接させることにより、アンテナ装置と電子装置との間の電気接続を達成する。
【０００３】
また上記アンテナ装置の組立方法については、まず斜め挿し方式により、アンテナ装置上の連接部をプリント基板上にあるＰＣＩコネクタ内に挿し入れ、次にアンテナ装置を下向きに押し平らにして正しく位置付けるとともにプリント基板上に衝合させ、最後にねじでアンテナ装置を電子装置上の特定の位置にしっかりと固定し、アンテナ装置の電子装置上への取付加工工程が完成する。
【考案の概要】
【考案が解決しようとする課題】
【０００４】
しかし、従来技術のこの種のアンテナ装置取付方法は、例えば各アンテナ装置をすべて同様の角度で斜めに挿し正しく位置決めすることを維持しなければ効果的にプリント基板上に取り付けることができない等、加工工程が比較的複雑なため、自動化が困難である。言い換えれば、上記の加工工程はすべて手作業の組立方法により完成しなければならず、組立効率という点において欠点が存在している。
【課題を解決するための手段】
【０００５】
従来技術の欠点および不十分な点から考えて、本考案はアンテナモジュール組立自動化構造を提供する。
これは、基板構成部品とアンテナ構成部品上の互いに対応する電気接続部品の構造を変更することにより、組立工程全体を簡素化して自動化できるようにすることで、加工全体の効率を向上させるというものである。
【０００６】
上記考案の目的を達成するために、本考案で採用する技術手段は、アンテナモジュール組立自動化構造であり、この中には、基板と、上記基板上に設置され、頂面に電気接続スロットが凹設され、該電気接続スロットが上方開口部を有するハウジングと、上記ハウジングの上記電気接続スロット内に互いに間隔をおいて設置され、それぞれの相対する両端のうち、一端は上記基板と互いに連接し、他端は自由端であって上記電気接続スロットの頂面より上向きに突伸する、複数の第一電気接続部品とを含む、基板構成部品、および本体部と、上記本体部と互いに連接する信号接続部と、上記信号接続部の底面に互いに間隔をおいて設置され、また個々に上記ハウジングの上記電気接続スロットの上記上方開口部を下向きに貫通可能で、かつ下向きに上記第一電気接続部品と当接するとともに、上記第一電気接続部品と電気接続させる、複数の第二電気接続部品とを含み、個々に下向きに上記基板上に当接可能なアンテナ構成部品、そして該アンテナ構成部品を選択的に上記基板上に固定させる固定組立部品を含む。
【考案の効果】
【０００７】
本考案の特長は、基板のハウジングの頂面に電気接続スロットを凹設し、さらに基板構成部品上においてアンテナ構成部品との電気接続に使用するすべての電気接続部品（第一電気接続部品）を基板上の電気接続スロット内に設置し、またアンテナ構成部品上において基板構成部品との電気接続に使用するすべての電気接続部品（第二電気接続部品）を信号接続部の底面に設置することである。
これによりアンテナ構成部品と基板構成部品を組み立てる時、アンテナ構成部品を垂直方向に下向きに移動するだけで良く、これだけで、上記第二電気接続部品が下向きにハウジングの電気接続スロットの上方開口部を貫通し、また下向きに上記第一電気接続部品に当接することが可能となる。
【０００８】
言い換えれば、本考案は、基板構成部品上に設置した第一電気接続部品およびアンテナ構成部品上に設置した第二電気接続部品の間の接触方位を、垂直に挿して取り付けが可能なように設計しており、これにより本考案は、従来技術においてアンテナ構成部品を取り付ける時にまず斜めに挿してから圧下する等、必須であった煩雑な動作をなくし、さらに、このプロセスにおいて完全自動化を行い、組立効率向上という目的の達成を可能にする。
【図面の簡単な説明】
【０００９】
【図１】本考案の立体外観図である。
【図２】本考案の部品分解図である。
【図３】本考案の別角度の部品分解図である。
【図４】本考案の平面図である。
【図５】本考案のアンテナ構成部品の部分拡大平面図である。
【図６】本考案の基板構成部品の拡大平面図である。
【図７】本考案の拡大断面側面図である。
【考案を実施するための形態】
【００１０】
以下、図式および本考案の好ましい実施例を使用して、本考案が所定の考案の目的を達成するために採用する技術手段について、さらに詳しく説明する。
【実施例】
【００１１】
図１を参照されたい。ここで示すように、本考案のアンテナモジュール組立自動化構造には、基板構成部品１０、アンテナ構成部品２０および固定組立部品３０を含む。
【００１２】
図１および図２を参照されたい。ここで示すように、基板構成部品１０は、基板１１、ハウジング１２、二つのスルーホールグループ１３、複数の第一電気接続部品１４および一つ以上の第一ポカヨケ装置１５を含む。
【００１３】
図２および図４を参照されたい。ここで示すように、ハウジング１２は基板１１上に設置され、またハウジング１２の頂面に電気接続スロット１２１が凹設され、さらに該電気接続スロット１２１は上方開口部１２２を有する。
【００１４】
図１および図２を参照されたい。ここで示すように、上記二つのスルーホールグループ１３は互いに平行、かつハウジング１２の上記電気接続スロット１２１内に間隔をおいて設置されている。また上記各スルーホールグループ１３は複数のスルーホール１３１を含むとともに、上記各スルーホールグループ１３内の上記各スルーホール１３１も互いに平行、かつ間隔をおいて設置され、さらに上記スルーホールグループ１３の互いに平行な方向と、上記各スルーホールグループ１３内の上記スルーホール１３１の互いに平行な方向とは互いに垂直である。
【００１５】
図７を参照されたい。ここで示すように、上記第一電気接続部品１４は、上記ハウジング１２の上記電気接続スロット１２１内に互いに間隔をおいて設置され、上記各第一電気接続部品１４の相対する両端のうち、一端は基板１１と互いに連接し、他端は自由端であって上記電気接続スロット１２１の頂面より上向きに突伸している。
本実施例において、上記各第一電気接続部品１４はハウジング１２に穿設されることにより、基板１１上に固定されるという目的を達成しているが、これに限るものではなく、第一電気接続部品１４はその他の方法で基板１１上に固定されていても良い。
【００１６】
図２および図６を参照されたい。ここで示すように、より精確に言うと、本実施例において、上記第一電気接続部品１４は配列され二つの第一電気接続配列１６を形成し、該二つの第一電気接続配列１６は互いに平行に、かつ間隔をおいて配列され、かつ同一の第一電気接続配列１６内にある上記第一電気接続部品１４もまた互いに平行に、かつ間隔をおいて配列され、さらに上記二つの第一電気接続配列１６の間隔配列の方向と、該各第一電気接続配列１６内の上記第一電気接続部品１４の間隔配列方向とは互いに垂直である。
【００１７】
さらに言えば、上記二つの第一電気接続配列１６は、それぞれ上記二つのスルーホールグループ１３に対応しており、言い換えると、同一の第一電気接続配列１６に属する上記第一電気接続部品１４は、それぞれ互いに対応する上記スルーホールグループ１３内の上記スルーホール１３１内に収容され、またその一端は上記スルーホール１３１からハウジング１２の電気接続スロット１２１の頂面に至る。
【００１８】
さらに言えば、上記第一電気接続部品１４の配列方法はこれに限るものではなく、即ち上記第一電気接続部品１４は、必ずしも二列に配列された第一電気接続配列１６の形式を呈するとは限らず、例えばすべての第一電気接続部品１４が一列に配列される等、その他の形式に配列されていても良い。
【００１９】
本実施例において、上記一つ以上の第一ポカヨケ装置１５の数は二つであり、また該二つの第一ポカヨケ装置１５は二つの形状が互いに異なり、かつ間隔をおいて設置された突起物である。また該二つの第一ポカヨケ装置１５は、基板構成部品１０のハウジング１２の頂面に設置され、より精確に言うと、本実施例において、上記二つの第一ポカヨケ装置１５は、上記電気接続スロット１２１の頂面に設置されているが、これに限るものではなく、その他の位置に設置されていても良い。
【００２０】
図２および図３を参照されたい。ここで示すように、アンテナ構成部品２０は、個々に下向きに基板１１上に当接可能であり、また上記アンテナ構成部品２０は、本体部２１、連接部結合フレーム２２、信号接続部２３、複数の第二電気接続部品２４、二つのねじ固定部２５、一つ以上の第二ポカヨケ装置２６および位置決めねじ２７を含む。
【００２１】
図２および図７を参照されたい。ここで示すように、本実施例において、連接部結合フレーム２２は、一体成形されて上記本体部２１の一側面から上記本体部２１の外へ水平に突伸しているが、これに限るものではなく、連接部結合フレーム２２は、その他の方法により上記本体部２１上に設置されていても良く、また取り外し可能な形で上記本体部２１上に設置されていても良い。
【００２２】
図３、図５および図７を参照されたい。ここで示すように、上記信号接続部２３は、本体部２１と互いに連接し、また本実施例においては、連接部結合フレーム２２の底面に設置されているが、これに限るものではなく、上記信号接続部２３は本体部２１のその他の位置に設置されていても良い。
【００２３】
図２および図３を参照されたい。ここで示すように、上記第二電気接続部品２４は、信号接続部２３の底面に互いに間隔をおいて設置され、また上記第二電気接続部品２４は、個々にハウジング１２の電気接続スロット１２１の上方開口部１２２を下向きに貫通可能で、下向きに電気接続スロット１２１内の上記第一電気接続部品１４と当接するとともに、上記第一電気接続部品１４との相互電気接続を可能にしている。
【００２４】
より精確に言うと、本考案の第一電気接続部品１４と第二電気接続部品２４の位置および数量は互いに対応しており、言い換えれば、上記第一電気接続部品１４が二列の第一電気接続配列１６を形成している。このため本実施例において、上記第二電気接続部品２４の配列方法も二列の並列となっている。その上、前述したように、第一電気接続部品１４の配列方法を変更した時（例えば、一列の形式に変更等）、上記第二電気接続部品２４の配列方法も相応して変更される。
【００２５】
図１および図２を参照されたい。ここで示すように、上記二つのねじ固定部２５は、それぞれ連接部結合フレーム２２の相対する両側に設置され、より精確に言うと、各ねじ固定部２５はさらに縦板および横板を含み、該縦板の頂端は上記連接部結合フレーム２２と互いに連接するとともに、縦板は連接部結合フレーム２２に相対して下向きに延伸し、また縦板の底端は上記横板と連接するとともに、該横板は上記第二電気接続部品２４と相反する方向へ延伸する。
言い換えると、上記連接部結合フレーム２２および上記二つのねじ固定部２５は、中間が突起し両側が凹下した構造を共同で形成しているが、この構造はこれに限るものではなく、上記二つのねじ固定部２５および上記連接部結合フレーム２２の間の配列形状は、その他の形状であっても良い。
【００２６】
本実施例において、上記一つ以上の第二ポカヨケ装置２６の数は二つであり、また該二つの第二ポカヨケ装置２６は二つの形状が互いに異なり、かつ互いに間隔をおいて設置したスルーホールである。また該二つの第二ポカヨケ装置２６の数量と位置は、上記二つの第一ポカヨケ装置１５の数量と位置と互いに対応しており、かつ上記二つの第二ポカヨケ装置２６は、下向きに上記二つの第一ポカヨケ装置１５と互いに結合可能である。
【００２７】
上記ポカヨケ装置１５、２６の特定の形状は、使用者が誤った方法でアンテナ構成部品２０を基板構成部品１０上に、上から下へ設置するのを防ぐことができる。
【００２８】
上記位置決めねじ２７は、本体部２１の頂面から下向きに本体部２１の底面上まで貫通しており、また本体部２１をコンピュータ本体等の電子装置上にしっかりと固定させる。
【００２９】
固定組立部品３０は、アンテナ構成部品２０を選択的に基板１１上に固定させ、より精確に言うと、本実施例において、上記固定組立部品３０は二つの固定ねじ３１を含み、該二つの固定ねじ３１はそれぞれアンテナ構成部品２０の相対する両側からアンテナ構成部品２０を貫通する。さらに精確に言うと、該二つの固定ねじ３１はそれぞれ上記二つのねじ固定部２５の上記二つの横板から下向きに基板１１上まで貫通し、アンテナ構成部品２０を選択的に基板１１上に固定させる。
【００３０】
但し、固定組立部品３０の固定形態は、これに限るものではなく、より精確に言うと、ねじ以外の固定方法によりアンテナ構成部品２０を基板構成部品１０上に固定しても良く、また固定ねじ３１の数量についても、その他の数量であっても良い。
【００３１】
以下は、本考案の取付方法およびその特長である。
【００３２】
図１、図２および図３を参照されたい。ここで示すように、本考案を結合する時、本考案の上記第一電気接続部品１４はすべて電気接続スロット１２１の頂面に設置され、また互いに対応する上記第二電気接続部品２４はすべて信号接続部２３の底面に設置されているため、使用者は簡単に上記アンテナ構成部品２０を基板構成部品１０の上方から放し、また上記第一電気接続部品１４が上記第二電気接続部品２４の上方に位置することを確保するだけで、互いに接触させた時に正確な電気接続関係を発生させることができる。
使用者がアンテナ構成部品２０を基板構成部品１０の上方にセットした後、さらに固定組立部品３０の上記二つの固定ねじ３１およびアンテナ構成部品２０の位置決めねじ２７を固く締めるだけで、本考案の組立を完成させることができる。
【００３３】
本考案の特長は、下記のとおりである。
【００３４】
第一に、本考案の取付方法には、アンテナ構成部品２０を基板構成部品１０の上方から下向きに基板構成部品１０の上方に取り付ける、および上記固定用のねじ２７、３１を締めるというたった二つの手順しかないため、組立方法が非常に簡単で、かつミスを起こしにくく、組立工程の自動化という点からして非常に有利な設計である。
【００３５】
第二に、本考案はすべての第一電気接続部品１４をハウジング１２の頂面に設置し、またすべての第二電気接続部品２４を信号接続部２３の底面に設置しているため、「基板構成部品１０とアンテナ構成部品２０との相互結合」という手順をさらに簡素化しており、より精確に言うと、上記電気接続部品１４、２４が互いに上下で対応するため、使用者はアンテナ構成部品２０を基板構成部品１０の上方から垂直に下へ置くだけで、迅速かつ正確にアンテナ構成部品２０を基板構成部品１０の上方に効果的に（電気接続するように）取り付けることができる。
【００３６】
第三に、上記ポカヨケ装置１５、２６は、使用者または機械がアンテナ構成部品２０を基板構成部品１０の上方にセットする時、正確に位置合わせをしてセットすることを確保することができる。アンテナ構成部品２０を逆方向に基板構成部品１０上にセットした場合、上記ポカヨケ装置１５、２６により互いに結合できなくなっているため、取付方向のミスを容易に識別することができる。
【００３７】
以上を要約すると、本考案は上記電気接続部品１４、２４の結合構造について、アンテナ構成部品２０を上から下へと取り付ければ基板構成部品１０上に設置できるように設計されており、これにより組立工程全体が非常にシンプルで、さらに組立工程の自動化という観点からして有利であるため、組立全体の効率を向上させることができる。
【符号の説明】
【００３８】
１０  基板構成部品
１１  基板
１２  ハウジング
１２１  電気接続スロット
１２２  上方開口部
１３  スルーホールグループ
１３１  スルーホール
１４  第一電気接続部品
１５  第一ポカヨケ装置
１６  第一電気接続配列
２０  アンテナ構成部品
２１  本体部
２２  連接部結合フレーム
２３  信号接続部
２４  第二電気接続部品
２５  ねじ固定部
２６  第二ポカヨケ装置
２７  位置決めねじ
３０  固定組立部品
３１  固定ねじ
【図１】
0003218192.tif 000003
【図２】
0003218192.tif 000004
【図３】
0003218192.tif 000005
【図４】
0003218192.tif 000006
【図５】
0003218192.tif 000007
【図６】
0003218192.tif 000008
【図７】
0003218192.tif 000009